(57)【特許請求の範囲】
【請求項１】
鉄筋を内部に有する水和硬化体が、少なくともＣａＯ／ＳｉＯ２が質量比で１．５未満、且つ、ＣａＯ濃度が２５質量％未満の製鋼スラグと高炉スラグ微粉末とフライアッシュとを含有し、前記フライアッシュの含有量が１００ｋｇ／ｍ3以上であり、水和硬化体が、さらにポルトランドセメント、ＪＩＳ  Ｒ  ５２１１「高炉セメント」に適合するＢ種の高炉セメント、ＪＩＳ  Ｒ  ５２１３「フライアッシュセメント」に適合するＢ種のフライアッシュセメント、消石灰から選ばれる１種または２種以上を含有し、その含有率が［ポルトランドセメント（ｋｇ／ｍ3）＋高炉セメント（ｋｇ／ｍ3）×０．６＋フライアッシュセメント（ｋｇ／ｍ3）×０．８５＋消石灰（ｋｇ／ｍ3）］／［フライアッシュ（ｋｇ／ｍ3）＋フライアッシュセメント×０．１５（ｋｇ／ｍ3）］で０．４５以下であり、且つ、前記製鋼スラグの含有量が１９７５ｋｇ／ｍ3以上であり、且つ、前記混合物中における高炉セメントに由来する高炉スラグ微粉末以外の高炉スラグ微粉末の含有量が１００ｋｇ／ｍ3以上であり、前記鉄筋がＣ：0.09mass%以下、Ｎ：0.09mass%以下、Ｃｒ：4mass%以上、15mass%以下を含有するＣｒ添加鋼であることを特徴とする耐中性化性および耐塩害性に優れた鉄筋を有する水和硬化体。
【請求項２】
Ｃｒ添加鋼が、Ｃ：0.001mass%以上、0.09mass%以下、Ｎ：0.001mass％以上、0.09mass%以下、Ｃｒ：4mass%以上、10mass%以下、Ｓｉ:0.01mass%以上、2.0mass%以下、Ｍｎ：0．01mass%以上、2.0mass%以下、Ａｌ:0.1mass%以下、Ｐ：0.05mass%以下、Ｓ：0.05mass%以下を含有し、残部がＦｅおよび不可避的不純物からなることを特徴とする請求項１に記載の耐中性化性および耐塩害性に優れた鉄筋を有する水和硬化体。
【請求項３】
Ｃｒ添加鋼がさらに、Ｃｕ：0.5mass％未満、Ｎｉ：2.0mass％以下、およびＭｏ：2.0mass%以下の中から選ばれる１種又は２種以上を含有することを特徴とする請求項１または請求項２に記載の耐中性化性および耐塩害性に優れた鉄筋を有する水和硬化体。
【請求項４】
耐中性化性および耐塩害性に優れた鉄筋を有する水和硬化体の製造方法であって、［ポルトランドセメント（ｋｇ／ｍ3）＋高炉セメント（ｋｇ／ｍ3）×０．６＋フライアッシュセメント（ｋｇ／ｍ3）×０．８５＋消石灰（ｋｇ／ｍ3）］／［フライアッシュ（ｋｇ／ｍ3）＋フライアッシュセメント×０．１５（ｋｇ／ｍ3）］で０．４５以下になるように、少なくとも、ポルトランドセメント、ＪＩＳ  Ｒ  ５２１１「高炉セメント」に適合するＢ種の高炉セメント、ＪＩＳ  Ｒ  ５２１３「フライアッシュセメント」に適合するＢ種のフライアッシュセメント、消石灰から選ばれる１種または２種以上と、ＣａＯ／ＳｉＯ２が質量比で１．５未満、且つ、ＣａＯ濃度が２５質量％未満の製鋼スラグと、高炉スラグ微粉末と、フライアッシュとを水と混合し、得られた混合物を硬化するステップを含み、前記フライアッシュの含有量が１００ｋｇ／ｍ3以上であり、且つ、前記製鋼スラグの含有量が１９７５ｋｇ／ｍ3以上であり、且つ、前記混合物中における高炉セメントに由来する高炉スラグ微粉末以外の高炉スラグ微粉末の含有量が１００ｋｇ／ｍ3以上であり、前記鉄筋がＣ：0.09mass%以下、Ｎ：0.09mass%以下、Ｃｒ：4mass%以上、15mass%以下を含有するＣｒ添加鋼であることを特徴とする耐中性化性および耐塩害性に優れた鉄筋を有する水和硬化体の製造方法。
【発明の詳細な説明】
【技術分野】
【０００１】
本発明は、乾湿が繰り返される海岸等の中性化と塩害が進みやすい環境下で用いる構造物での利用に好適な耐中性化性および耐塩害性に優れた鉄筋を有する水和硬化体およびその製造方法に関するものである。
【背景技術】
【０００２】
鉄筋コンクリートは、コンクリート中のアルカリ成分によって鉄筋の表面に不動態皮膜が形成されるため鉄筋が防食され、長期に渡って強度と耐久性を発揮する構造部材である。したがって、コンクリートが中性化すると不動態皮膜が破壊され鉄筋が腐食し、構造物部材として機能しなくなる。
【０００３】
近年は、コンクリートの骨材の入手事情が悪化し、例えば、アルカリ骨材反応を生じる可能性がある安山岩等を骨材として使用せざるを得ない場合がある。アルカリ骨材反応によりコンクリートにひび割れを生じた場合、コンクリートの中性化が急速に進行し、鉄筋が腐食する等の問題がある。また良質な骨材を使用したコンクリートの場合であっても、これを乾湿が繰り返される等の中性化が進みやすい環境下で使用した際には、コンクリートの中性化よって鉄筋表面の不動態皮膜が破壊されて鉄筋が腐食し、発生した錆に起因する体積膨張によってコンクリートが剥落する。当然のことながら、鉄筋と外界との間に存在するコンクリートの厚み（かぶり厚）を増大させることにより、中性化が鉄筋の表面に到達する時間を遅延させることができるが、コンクリートのかぶり厚の増大により構造物が大型化するためコストが増大するという問題がある。
【０００４】
上記のような鉄筋コンクリートの耐中性化性を向上する手段としては、一般に水セメント比を小さくする方法が知られている
一方、製鋼スラグと高炉スラグ微粉末とを主原料とし、コンクリートの代替が可能な水和硬化体が特許文献１及び非特許文献１に開示されている。
【０００５】
これらの水和硬化体をコンクリートの代替として用いることで、製鉄所で大量に発生するスラグを有効利用することができる。
【特許文献１】特開２００１−０４９３１０号公報
【非特許文献１】「鉄鋼スラグ水和固化体技術マニュアル」沿岸開発技術研究センター  ２００３年
【発明の開示】
【発明が解決しようとする課題】
【０００６】
しかし、鉄筋コンクリートの耐中性化性を向上させるために水セメント比を小さくする方法は、アルカリ骨材反応を生じることがない良質な骨材を用いたときは有効であるが、アルカリ骨材反応を生じる骨材を用いた場合は効果がない。また、水セメント比を小さくすると高コストとなるばかりでなく、コンクリートの自己収縮が大きくなるという弊害を生じる。
【０００７】
一方、上記の特許文献１、非特許文献１の水和硬化体をコンクリート代替として用いた場合の耐中性化性については、特許文献１に開示された水和硬化体は用途を路盤材、建築・土木材等としている程度で不明瞭であり、非特許文献１に開示された水和硬化体は、対象を鉄筋を含有しない無筋コンクリート代替に限定しているため、どちらについても性能自体が不明である。そこで、これらの水和硬化体の耐中性化性を本発明者らが調べたところ、極めてばらつきが大きく、鉄筋コンクリート代替として安定して使用することが困難であることがわかった。
【０００８】
このように従来の技術を用いては、コンクリートや製鋼スラグと高炉スラグ微粉末等を材料とした水和硬化体の中性化を抑止して鉄筋の腐食を防止することは限界がある。
【０００９】
したがって本発明の目的は、このような従来技術の課題を解決し、中性化が進みやすいような環境条件においても長期の耐久性を有する構造物部材とすることができる耐中性化性および耐塩害性に優れた鉄筋を有する水和硬化体およびその製造方法を提供することにある。
【課題を解決するための手段】
【００１０】
このような課題を解決するための本発明の特徴は以下の通りである。
（１）鉄筋を内部に有する水和硬化体が、少なくともＣａＯ／ＳｉＯ２が質量比で１．５未満、且つ、ＣａＯ濃度が２５質量％未満の製鋼スラグと高炉スラグ微粉末とフライアッシュとを含有し、前記フライアッシュの含有量が１００ｋｇ／ｍ3以上であり、水和硬化体が、さらにポルトランドセメント、ＪＩＳ  Ｒ  ５２１１「高炉セメント」に適合するＢ種の高炉セメント、ＪＩＳ  Ｒ  ５２１３「フライアッシュセメント」に適合するＢ種のフライアッシュセメント、消石灰から選ばれる１種または２種以上を含有し、その含有率が［ポルトランドセメント（ｋｇ／ｍ3）＋高炉セメント（ｋｇ／ｍ3）×０．６＋フライアッシュセメント（ｋｇ／ｍ3）×０．８５＋消石灰（ｋｇ／ｍ3）］／［フライアッシュ（ｋｇ／ｍ3）＋フライアッシュセメント×０．１５（ｋｇ／ｍ3）］で０．４５以下であり、且つ、前記製鋼スラグの含有量が１９７５ｋｇ／ｍ3以上であり、且つ、前記混合物中における高炉セメントに由来する高炉スラグ微粉末以外の高炉スラグ微粉末の含有量が１００ｋｇ／ｍ3以上であり、前記鉄筋がＣ：0.09mass%以下、Ｎ：0.09mass%以下、Ｃｒ：4mass%以上、15mass%以下を含有するＣｒ添加鋼であることを特徴とする耐中性化性および耐塩害性に優れた鉄筋を有する水和硬化体。
（２）Ｃｒ添加鋼が、Ｃ：0.001mass%以上、0.09mass%以下、Ｎ：0.001mass％以上、0.09mass%以下、Ｃｒ：4mass%以上、10mass%以下、Ｓｉ:0.01mass%以上、2.0mass%以下、Ｍｎ：0．01mass%以上、2.0mass%以下、Ａｌ:0.1mass%以下、Ｐ：0.05mass%以下、Ｓ：0.05mass%以下を含有し、残部がＦｅおよび不可避的不純物からなることを特徴とする（１）に記載の耐中性化性および耐塩害性に優れた鉄筋を有する水和硬化体。
（３）Ｃｒ添加鋼がさらに、Ｃｕ：0.5mass％未満、Ｎｉ：2.0mass％以下、およびＭｏ：2.0mass%以下の中から選ばれる１種又は２種以上を含有することを特徴とする（１）または（２）に記載の耐中性化性および耐塩害性に優れた鉄筋を有する水和硬化体。
（４）耐中性化性および耐塩害性に優れた鉄筋を有する水和硬化体の製造方法であって、［ポルトランドセメント（ｋｇ／ｍ3）＋高炉セメント（ｋｇ／ｍ3）×０．６＋フライアッシュセメント（ｋｇ／ｍ3）×０．８５＋消石灰（ｋｇ／ｍ3）］／［フライアッシュ（ｋｇ／ｍ3）＋フライアッシュセメント×０．１５（ｋｇ／ｍ3）］で０．４５以下になるように、少なくとも、ポルトランドセメント、ＪＩＳ  Ｒ  ５２１１「高炉セメント」に適合するＢ種の高炉セメント、ＪＩＳ  Ｒ  ５２１３「フライアッシュセメント」に適合するＢ種のフライアッシュセメント、消石灰から選ばれる１種または２種以上と、ＣａＯ／ＳｉＯ２が質量比で１．５未満、且つ、ＣａＯ濃度が２５質量％未満の製鋼スラグと、高炉スラグ微粉末と、フライアッシュとを水と混合し、得られた混合物を硬化するステップを含み、前記フライアッシュの含有量が１００ｋｇ／ｍ3以上であり、且つ、前記製鋼スラグの含有量が１９７５ｋｇ／ｍ3以上であり、且つ、前記混合物中における高炉セメントに由来する高炉スラグ微粉末以外の高炉スラグ微粉末の含有量が１００ｋｇ／ｍ3以上であり、前記鉄筋がＣ：0.09mass%以下、Ｎ：0.09mass%以下、Ｃｒ：4mass%以上、15mass%以下を含有するＣｒ添加鋼であることを特徴とする耐中性化性および耐塩害性に優れた鉄筋を有する水和硬化体の製造方法。
【発明の効果】
【００１１】
本発明によれば、耐中性化性と耐塩害性に優れることから、鉄筋に対する防食性に優れた水和硬化体が得られる。このため、中性化により従来の鉄筋コンクリートが短期間で崩壊するような環境下においても、長期間の使用が可能な構造物を提供できる。
【発明を実施するための最良の形態】
【００１２】
本発明では、水和硬化体の材料を最適化することにより、従来のコンクリートや製鋼スラグと高炉スラグ微粉末等を材料とした水和硬化体よりも耐中性化性に優れた水和硬化体が得られ、これをＣｒ添加鋼からなる鉄筋と組み合わせることで、高塩分濃度を含有し乾湿が繰り返される中性化および塩害の進みやすい環境下においても長期の耐久性を有する構造物部材として使用できることを見出し、本発明を完成した。
【００１３】
まず水和硬化体を構成する材料について説明する。
【００１４】
なお、本発明において、水和硬化体における（水和硬化体中の）含有量（配合量）とは、水和硬化体の配合原料となる各材料（混練用の水や混和剤なども含む）を混合した混合物中における含有量を意味する。本発明における水和硬化体は、配合原料となる材料を混合して形成した混合物を硬化させたものである。
【００１５】
本発明の水和硬化体は、製鋼スラグと、高炉スラグ微粉末と、フライアッシュとを含有する。
【００１６】
水和硬化体の材料のうち、製鋼スラグは、骨材および結合材、さらに水和硬化体の中性化抑止材として作用する。骨材として作用させるための製鋼スラグの粒度分布は、コンクリート用の細骨材や粗骨材に相当するような粒度とし、粒径が０．０７５ｍｍ以上程度、また最大粒径が４０ｍｍ以下程度とすることが好ましい。また、結合材として作用させるための製鋼スラグは微粉であることが好ましく、粒径が０．１５ｍｍ未満程度であることが好ましい。したがって、結合材としての粒径と骨材としての粒径をそれぞれ満足するスラグ粒子が含まれている適当な粒度分布を有する製鋼スラグ（例えば、或る条件で粉砕処理した製鋼スラグやその粉砕処理後に篩分した製鋼スラグ）を使用することが望ましい。中性化抑止材として作用させるための製鋼スラグは、ＣａＯ／ＳｉＯ2が質量比で１．５以上、またはＣａＯ濃度が２５質量％以上であることが好ましい。ＣａＯ／ＳｉＯ2が質量比で１．５以上、またはＣａＯ濃度が２５質量％以上の製鋼スラグは、製鋼スラグ中のＣａＯ成分が長期間にわたり水和硬化体中に含まれる水に溶解し、水和硬化体を弱アルカリ性に保ち、中性化を抑止する。より好ましくは、ＣａＯ／ＳｉＯ2が質量比で２．０以上、またはＣａＯ濃度が３０質量％以上である。一般にＣａＯ／ＳｉＯ2、ＣａＯ濃度が高くなると製鋼スラグ中の遊離ＣａＯ（ｆｒｅｅ−ＣａＯ）による水和膨張性が大きくなるが、水和硬化体の膨張安定性が確保されれば問題がないことから、これらの上限値は特に規定しない。
【００１７】
また、製鋼スラグは通常の砂利等の骨材と異なりアルカリ骨材反応を起こさないため、水和硬化体そのものの耐久性が優れるだけでなく、アルカリ骨材反応に起因するひび割れの発生も抑制できるので、ひび割れを介した中性化が起こらず、水和硬化体中の鉄筋の防食の観点からも好ましい。
【００１８】
水和硬化体の材料として高炉スラグ微粉末を用いるのは、潜在水硬性を有する高炉スラグ微粉末が製鋼スラグによりアルカリ刺激を受け効率的に水和反応するためだけでなく、従来のコンクリートよりも硬化物が緻密な組織を有するため、水和硬化体の中性化の原因となる二酸化炭素の透過を著しく抑制できるからである。また、高炉スラグ微粉末と製鋼スラグ中の遊離ＣａＯ（ｆｒｅｅ−ＣａＯ）が反応し、製鋼スラグの水和膨張を抑制するためである。高炉スラグ微粉末としてはＪＩＳ Ａ ６２０６「コンクリート用高炉スラグ微粉末」を特に好ましく用いることができる。
【００１９】
高炉スラグ微粉末の水和硬化体中の配合量は、１００〜６００ｋｇ／ｍ3であることが好ましい。１００ｋｇ／ｍ3未満ではコンクリート代替として必要な１８Ｎ／ｍｍ2以上の圧縮強度が得られない場合があり、６００ｋｇ／ｍ3を超えると強度の増加はほとんど無く不経済となるためである。高炉スラグ微粉末のより好ましい配合量は、２００〜４００ｋｇ／ｍ3である。
【００２０】
水和硬化体の材料としてフライアッシュを用いるのは、ポゾラン反応性を有するフライアッシュが製鋼スラグや高炉スラグ微粉末と長期にわたり反応し、生成した水和ゲルが組織中の空隙を埋めることにより、硬化物が従来のコンクリートに比較して極めて緻密な組織を有するようになり、水和硬化体の中性化の原因となる二酸化炭素の透過を著しく抑制できるからである。このためには、フライアッシュを１００ｋｇ／ｍ3以上含有する必要がある。フライアッシュを１００ｋｇ／ｍ3とすることにより、平均細孔径は普通コンクリートが約０．１μｍであるのに対し、本発明の水和硬化体では約０.０１μｍと約１／１０となる。また、フライアッシュは、フライアッシュと製鋼スラグ中の遊離ＣａＯが反応し、製鋼スラグの水和膨張を抑制する効果がある。フライアッシュの上限値は特に設定しないが、３００ｋｇ／ｍ3を超えると水を加えて練混ぜた後のフレッシュな状態の粘性が高くなり、ワーカビリティが悪化する。また製鋼スラグの水和膨張を抑制する効果も変わらず不経済となる。フライアッシュはＪＩＳ Ａ ６２０１「コンクリート用フライアッシュ」を用いることが好ましいが、原粉および加圧流動床灰等の使用も可能である。
【００２１】
水和硬化体の材料として、さらにポルトランドセメント、高炉セメント、フライアッシュセメント、エコセメント、消石灰から選ばれる１種または２種以上を配合することが好ましく、ポルトランドセメント、高炉セメント、フライアッシュセメント、エコセメント、消石灰から選ばれる１種または２種以上の含有率は［ポルトランドセメント（ｋｇ／ｍ3）＋高炉セメント（ｋｇ／ｍ3）×０．６＋フライアッシュセメント（ｋｇ／ｍ3）×０．８５＋消石灰（ｋｇ／ｍ3）］／［フライアッシュ（ｋｇ／ｍ3）＋フライアッシュセメント×０．１５（ｋｇ／ｍ3）］で０．４５以下であることが好ましい。カルシウム成分を含むこれらのセメント、消石灰を加えることにより、フライアッシュのポゾラン反応が効率的に生じ、平均細孔径は水和硬化体形成後１ヶ月で約０.０１μｍとなり、短期間で組織を緻密にすることができるためである。つまり、水和硬化体の中性化の原因となる炭酸ガスや水蒸気の浸透・透過を著しく抑制できるからである。このような観点から、［ポルトランドセメント（ｋｇ／ｍ3）＋高炉セメント（ｋｇ／ｍ3）×０．６＋フライアッシュセメント（ｋｇ／ｍ3）×０．８５＋消石灰（ｋｇ／ｍ3）］／［フライアッシュ（ｋｇ／ｍ3）＋フライアッシュセメント×０．１５（ｋｇ／ｍ3）］の値は、０．４５以下が好ましく、さらに好ましくは０．４０以下である。下限は特に設けないが、０．１５以上とすることで上記効果が得られるので好ましい。
【００２２】
なお、本発明におけるポルトランドセメントとは、ＪＩＳ Ｒ ５２１０「ポルトランドセメント」に記載されている、普通ポルトランドセメント、早強ポルトランドセメント、超早強ポルトランドセメント、中庸熱ポルトランドセメント、低熱ポルトランドセメント、耐硫酸塩ポルトランドセメントのことである。また、高炉セメントとは、ＪＩＳ Ｒ ５２１１「高炉セメント」に記載されているＡ種、Ｂ種、Ｃ種のことである。また、フライアッシュセメントとは、ＪＩＳ Ｒ ５２１３「フライアッシュセメント」に記載のＡ種、Ｂ種、Ｃ種のことである。また、エコセメントとは、ＪＩＳ Ｒ ５２１４「エコセメント」のことである。
【００２３】
次に、本発明で用いる鉄筋について説明する。尚、無筋の水和硬化体は、耐中性化性が優れていない場合でも問題とはならない。
【００２４】
鉄筋に用いる鋼材としては、耐食性の良好な、Ｃ：0.09mass%以下、Ｎ：0.09mass%以下、Ｃｒ：4mass%以上、15mass%以下を含有するＣｒ添加鋼を用いるものとする。
【００２５】
上記のＣｒ添加鋼としては、Ｃ：0.001mass%以上、0.09mass%以下、Ｎ：0.001mass％以上、0.09mass%以下、Ｃｒ：4mass%以上、10mass%以下、Ｓｉ:0.01mass%以上、2.0mass%以下、Ｍｎ：0．01mass%以上、2.0mass%以下、Ａｌ:0.1mass%以下、Ｐ：0.05mass%以下、Ｓ：0.05mass%以下を含有し、残部がＦｅおよび不可避的不純物からなるものを用いることが好ましく、さらに、Ｃｕ：0.5mass％未満、Ｎｉ：2.0mass％以下、およびＭｏ：2.0mass%以下の中から選ばれる１種又は２種以上を含有することが好ましい。
【００２６】
以下、各化学成分の限定理由について説明する。
【００２７】
Ｃ：０．０９mass%以下とする。
Ｃは、０．０９mass%超ではＣｒ炭化物の生成量が多くなり、カソード反応が促進されて鉄筋腐食が促進する。本発明において、Ｃ量を０．０９mass%以下とすることは非常に重要である。また、０．００１mass%未満では強度が不足する場合がある。したがって本発明で用いるＣｒ添加鋼は、Ｃを０．０９mass%以下、好ましくは０．００１mass%以上、０．０９mass%以下、特に好ましくは０．００１mass%以上、０．０３mass%以下の量で含有する。
【００２８】
Ｎ：０．０９mass%以下とする。
従来の防食性コンクリート鉄筋では、Ｎに着目したものは見当たらない。本発明者らの知見によれば、０．０９mass%超ではＣｒ窒化物の生成量が多くなり、カソード反応が促進されて鉄筋腐食が促進する。本発明において、Ｎ量を０．０９mass%以下とすることは非常に重要である。また、Ｎは０．００１mass%未満では強度が不足する場合がある。したがって本発明で用いるＣｒ添加鋼は、Ｎを０．０９mass%以下、好ましくは０．００１mass%以上、０．０９mass%以下、さらに好ましくは０．００１mass%以上、０．０３mass%以下の量で含有する。
【００２９】
Ｃｒ：４mass%以上、１５mass%以下とする。
従来のステンレスを除く鉄筋では、塩化物による孔食を受けやすくなるとし、通常は、Ｃｒ量を３．００mass%以下としていた。本発明では、Ｃｒは防食鉄筋として必要な耐食性を確保するために不可欠な元素である。水和硬化体中において鉄筋の長期使用が可能となるレベルの耐食性を確保するため、少なくとも４mass%のＣｒ量が必要である。このＣｒ量は１５mass%であれば、アノード反応は充分に低減され、これより多くてもアノード反応の低減効果は飽和状態である。一方、Ｃｒ量が１０mass%を超えると靭性が劣化する場合があり、またコストアップとなるため、Ｃｒ量の上限は１５mass%、好ましくは１０mass%以下が適正である。したがって本発明で用いる鉄筋は、Ｃｒを４mass%以上、１５mass%以下、好ましくは４mass%以上、１０mass%以下、さらに好ましくは６mass%以上、１０mass%以下の量で含有する。
【００３０】
本発明で用いるＣｒ添加鋼は、上記特定量のＣ、Ｎ、Ｃｒとともに、腐食の起点ともなる酸化物系介在物を製鋼過程において除去するため、脱酸剤として有効な下記元素を特定量含有することが望ましい。
【００３１】
Ｓｉ：０．０１mass%以上、２．０mass%以下とする。
Ｓｉは脱酸剤として有用な元素であり、その含有量が０．０１mass%以上であれば充分な脱酸効果を発現することができる。一方、Ｓｉ含有量が２．０mass%を超えると硬くなって靭性が劣化する傾向がある。このため本発明で用いるＣｒ添加鋼は、Ｓｉを０．０１mass%以上、２．０mass%以下の量で含有することが好ましく、より好ましくは０．１mass%以上、１．０mass%以下の量で含有する。
【００３２】
Ｍｎ：０．０１mass%以上、２．０mass%以下とする。
Ｍｎは脱酸剤および熱間加工性改善に有用な元素であり、その含有量が０．０１mass%以上であれば充分な脱酸効果と熱間加工性改善を発現することができる。一方、Ｍｎ含有量が２．０mass%を超えるとＭｎＳなどの介在物が増加して耐食性を低下させる傾向がある。このためＭｎ含有量は０．０１mass%以上、２．０mass%であることが好ましく、より好ましくは０．１mass%以上、１．０mass%以下の量で含有する。
【００３３】
Ａｌ:０．１mass%以下とする。
上記Ｓｉによる脱酸では不充分な場合には、脱酸剤としてＡｌを利用することができるが、Ａｌ含有による介在物が増加して耐食性を低下させる傾向があるため、Ａｌ含有量は０．１mass%以下とすることが望ましい。
【００３４】
また本発明に係るＣｒ添加鋼のＰおよびＳ含有量は、以下のように制限される。
【００３５】
Ｐ:０．０５mass%以下とする。
Ｐは、靭性・延性等の機械的性質を劣化させるばかりでなく、耐食性に対しても有害な元素である。本発明において、Ｐ含有量が特に０．０５mass%を超えると、その影響が顕著になるため、Ｐ含有量は０．０５mass%以下に制限する。
【００３６】
Ｓ：０．０５mass%以下とする。Ｓは、上記Ｍｎと結合してＭｎＳを形成し、腐食の起点となる。またＳは結晶粒界に偏析して、粒界脆化を促進する有害物質であるので、極力低減することが好ましい。特にＳ含有量が０．０５mass%を超えるとその悪影響が顕著になるため、Ｓ含有量は０．０５mass%以下に制限する。
【００３７】
本発明で用いるＣｒ添加鋼は、さらに、耐食性向上に有効なＣｕ、ＮｉおよびＭｏからなる群より選ばれる少なくとも１成分を特定量で含有することが好ましい。
【００３８】
Ｃｕ：０.５mass%未満とする。
Ｃｕは、Ｃｒ添加鋼のアノード反応を低減して耐食性を向上させる。しかし、その含有量が０．５mass%以上になると、熱間圧延においてゴマヘゲと呼ばれる表面欠損を生じる。このためＣｕ含有量は０．５mass%未満とすることが望ましい。
【００３９】
Ｎｉ：２.０mass%以下とする。
ＮｉもＣｒ添加鋼のアノード反応を低減して耐食性を向上させる。しかし、その含有量が２．０mass%を超えるとコストが大幅に増加するので２．０mass%以下とすることがことが望ましい。
【００４０】
Ｍｏ：２.０mass%以下とする。
Ｍｏも耐食性を向上させることに極めて有効であるが、２．０mass%を超えるとコストが大幅に増加するので２．０mass%以下とすることがことが望ましい。
【００４１】
上記Ｃｕ、ＮｉおよびＭｏのいずれも各々の効果を発揮するためには、０．１mass%以上添加することが望ましい。
【００４２】
なお必要に応じて他の元素たとえばＴｉ、Ｎｂ、Ｂなどを含有していてもよい。
【００４３】
上記以外の残部はＦｅおよび不可避的不純物である。
【００４４】
上記Ｃｒ添加鋼からなる鉄筋は、上記組成を有する以外特に限定されず、通常の溶解、鋳造、圧延工程などにより製造することができる。また圧延工程における熱間でのスケールを除去するために、ショットブラスト処理と酸洗を行うこともできるが、場合によってはショットブラスト処理のみでもよく、または脱スケールなしでもよい。また熱間圧延により、鉄筋を製造した後、強度を調整するために熱処理を行ってもよい。ショットブラスト処理を行った後、さらに酸洗を施す場合の例を、下記の実施例において示す。
【００４５】
水和硬化体は、上記の材料を配合して、水を加えて混練して、所定の型枠等に打ち込んで養生して製造する。打ち込みの際に上記の鉄筋を配筋して、鉄筋を有する水和硬化体とする。
【００４６】
水和硬化体の養生方法は、所定の強度が確保できれば、通常コンクリートにおいて用いられる水中養生、現場養生、蒸気養生等の何れの方法をも用いることができる。
【実施例１】
【００４７】
製鋼スラグは表１に示す化学成分、物性値（最大粒径、粗粒率、細骨材率、表乾密度）のものを用いた（製鋼スラグＮｏ．Ａ、Ｂ）。ＣａＯ／ＳｉＯ2が質量比で１．５未満、かつＣａＯ濃度が２５質量％未満であり、中性化抑止材として作用しにくい製鋼スラグである。
【００４８】
【表１】
0004791228.tif 000002
【００４９】
粗粒率とはＪＩＳ Ａ ０２０３に記載の番号３１１５の粗粒率のことである。細骨材率とは全粒度の製鋼スラグ量に対する粒径５ｍｍ以下の製鋼スラグ量の絶対容積比を百分率で表した値である。
【００５０】
鉄筋は、表２に示す各化学成分を有する鋼塊５０ｋｇを真空溶解して製造した（鋼種Ｎｏ．１〜１５）。鋼塊の表面を５ｍｍ研削した後、１２００℃×１ｈｒの焼鈍を施し、熱間鍛造により５０ｍｍ角のビレットを作成した。このビレットに１１００℃×１ｈｒの焼鈍を施し、線棒圧延機により１５ｍｍφの棒鋼を製造した。次いで熱間でのスケールを除去するために、ショットブラスト処理と酸洗を行った。具体的には、この棒鋼にショットブラストと３％フッ酸−１２％硝酸の混合酸による酸洗を施して脱スケールを行った。
【００５１】
【表２】
0004791228.tif 000003
【００５２】
表３に示す配合（配合Ｎｏ．１〜１１）により水和硬化体の材料をミキサで練混ぜ、φ１００×２００ｍｍの型枠に流し込み、養生してＮｏ．１〜１５の圧縮強度測定用のテストピースを製作した。
【００５３】
【表３】
0004791228.tif 000004
【００５４】
高炉スラグ微粉末はＪＩＳ Ａ ６２０６「コンクリート用高炉スラグ微粉末」における高炉スラグ微粉末４０００を、フライアッシュはＪＩＳ Ａ ６２０１「コンクリート用フライアッシュ」におけるII種を使用した。ポルトランドセメントは、ＪＩＳ Ｒ ５２０１「ポルトランドセメント」に適合する普通ポルトランドセメントを用いた。高炉セメントは、ＪＩＳ Ｒ ５２１１「高炉セメント」に適合するＢ種を用いた。フライアッシュセメントは、ＪＩＳ Ｒ ５２１３「フライアッシュセメント」に適合するＢ種を用いた。消石灰は、ＪＩＳ Ｒ ９００１に適合する工業用消石灰・特号を使用した。混和剤は、ＪＩＳ Ａ ６２０４に適合するポリカルボン酸系の高性能ＡＥ減水剤を使用した。
【００５５】
圧縮強度の測定は、ＪＩＳ Ａ １１０８「コンクリートの圧縮強度試験方法」にしたがって行った。養生条件は標準養生２８日とした。また、同時に表３に示す鋼種の鉄筋を中心部に挿入したφ１００×２００ｍｍの中性化促進試験用のテストピースをＮｏ．１〜１５の各製造条件に付き２体製作した。養生条件は標準養生２８日とした。中性化促進試験は、標準養生２８日後のテストピースをＣＯ2濃度５％、温度４０℃、湿度６０％ＲＨの条件で９１日間暴露後、１体を５０ｍｍピッチで輪切りしたものについて、中性化深さを測定し、その平均値より評価した。中性化深さの測定は、フェノールフタレイン１％溶液噴霧法によって、無変色部を中性化部とした。
【００５６】
中性化促進試験を終えた試験体のうち輪切りにしなかったものを、耐塩害性試験に供した。耐塩害性試験は、６０℃の３％ＮａＣｌ水溶液に３日間浸漬した後に６０℃、５０％ＲＨの恒温恒湿槽で４日間乾燥することを１サイクルとし、これを１００サイクル繰り返した後に水和硬化体を破壊して鉄筋を取り出し、鉄筋を１０ｍａｓｓ％の水素クエン酸アンモニウム水溶液で除錆し、腐食面積率と最大腐食深さをマイクロメーターで測定した。
【００５７】
また、比較のために製鋼スラグおよび高炉スラグ微粉末を用いない、普通コンクリートのテストピース（Ｎｏ．１６）を作製した。表４の配合によりコンクリートの材料をミキサで練り混ぜ、φ１００×２００ｍｍの型枠に流し込み、養生して、圧縮強度測定用、中性化促進試験用および耐塩害性試験用のテストピースを製作した。圧縮強度測定用のテストピースの養生条件は標準養生２８日とした。圧縮強度試験、中性化促進試験および耐塩害性試験は上記と同じように行なった。なお、骨材はＪＩＳ Ａ １１４５「骨材のアルカリシリカ反応性試験方法（化学法）」による試験において、「無害」と判定された良質なものを用いた。
【００５８】
【表４】
0004791228.tif 000005
【００５９】
圧縮強度測定結果、中性化促進試験結果および耐塩害性試験結果を表３、４に併せて示す。製鋼スラグと高炉スラグ微粉末とフライアッシュを少なくとも含有し、フライアッシュを１００ｋｇ／ｍ3以上含有する水和硬化体と所定の鋼組成を有する鉄筋を組み合わせた場合（テストピースＮｏ．１〜９）には、良質な骨材を用いた水セメント比（水結合材比）５０％のテストピースＮｏ．１６（配合Ｎｏ．１２）の普通コンクリートよりも中性化深さが小さく、優れた耐中性化性を示した。一方、本発明範囲外の比較例の水和硬化体（テストピースＮｏ．１０〜１５）は、良質な骨材を用いた水セメント比５０％の普通コンクリート（テストピースＮｏ．１６）よりも耐中性化性に劣り、耐塩害性試験後に鉄筋の腐食が認められた。